(57)【要約】【課題】  デザイン性の向上及び動作の信頼性等を図る。【解決手段】  一端部が扉体２に連結され他端部が本体３に回動自在に連結されると共に本体に対して回動され扉体を本体に対して移動させるアーム体２５と、該アーム体の回動動作に連動して移動されるカム３４と、該カムに摺動自在に係合する係合部５６を有すると共にカムに対する係合部の係合位置に応じて回動される作用レバー５１と、該作用レバーを係合部がカムに押し付けられる方向へ付勢するバネ部材５９とを設け、上記カムに、作用レバーの係合部を介して伝達されるバネ部材の付勢力によって、扉体に開放位置から閉塞位置へ向かう方向への移動力を付与する閉塞作用部３４ａを形成した。【選択図】        図１４
2005194840.tif 000002
【特許請求の範囲】
【請求項１】
本体に対して開放位置と閉塞位置との間で移動される扉体を開閉する扉体開閉機構であって、
一端部が扉体に連結され他端部が本体に回動自在に連結されると共に本体に対して回動され扉体を本体に対して移動させるアーム体と、
該アーム体の回動動作に連動して移動されるカムと、
該カムに摺動自在に係合する係合部を有すると共にカムに対する係合部の係合位置に応じて回動される作用レバーと、
該作用レバーを係合部がカムに押し付けられる方向へ付勢するバネ部材とを備え、
上記カムに、作用レバーの係合部を介して伝達されるバネ部材の付勢力によって、扉体に開放位置から閉塞位置へ向かう方向への移動力を付与する閉塞作用部を形成した
ことを特徴とする扉体開閉機構。
【請求項２】
上記カムに、作用レバーの係合部を介して伝達されるバネ部材の付勢力によって、扉体に閉塞位置から開放位置へ向かう方向への移動力を付与する開放作用部を形成した
ことを特徴とする請求項１に記載の扉体開閉機構。
【請求項３】
上記カムの閉塞作用部と開放作用部とを連続して形成した
ことを特徴とする請求項２に記載の扉体開閉機構。
【請求項４】
上記アーム体に上記カムを一体に形成した
ことを特徴とする請求項１に記載の扉体開閉機構。
【請求項５】
上記作用レバーの係合部として回転可能な軸部材を用いた
ことを特徴とする請求項１に記載の扉体開閉機構。
【請求項６】
上記作用レバーに、閉塞位置から開放位置へ向けて移動された扉体を開放位置に保持するストッパーを設けた
ことを特徴とする請求項１に記載の扉体開閉機構。
【請求項７】
本体に対して開放位置と閉塞位置との間で移動される扉体を開閉する扉体開閉機構を備えた電子機器であって、
一端部が扉体に連結され他端部が本体に回動自在に連結されると共に本体に対して回動され扉体を本体に対して移動させるアーム体と、
該アーム体の回動動作に連動して移動されるカムと、
該カムに摺動自在に係合する係合部を有すると共にカムに対する係合部の係合位置に応じて回動される作用レバーと、
該作用レバーを係合部がカムに押し付けられる方向へ付勢するバネ部材とを備え、
上記カムに、作用レバーの係合部を介して伝達されるバネ部材の付勢力によって、扉体に開放位置から閉塞位置へ向かう方向への移動力を付与する閉塞作用部を形成した
ことを特徴とする扉体開閉機構を備えた電子機器。
【請求項８】
上記カムに、作用レバーの係合部を介して伝達されるバネ部材の付勢力によって、扉体に閉塞位置から開放位置へ向かう方向への移動力を付与する開放作用部を形成した
ことを特徴とする請求項７に記載の扉体開閉機構を備えた電子機器。
【請求項９】
上記カムの閉塞作用部と開放作用部とを連続して形成した
ことを特徴とする請求項８に記載の扉体開閉機構を備えた電子機器。
【請求項１０】
上記アーム体に上記カムを一体に形成した
ことを特徴とする請求項７に記載の扉体開閉機構を備えた電子機器。
【請求項１１】
上記作用レバーの係合部として回転可能な軸部材を用いた
ことを特徴とする請求項７に記載の扉体開閉機構を備えた電子機器。
【請求項１２】
上記作用レバーに、閉塞位置から開放位置へ向けて移動された扉体を開放位置に保持するストッパーを設けた
ことを特徴とする請求項７に記載の扉体開閉機構を備えた電子機器。
【発明の詳細な説明】
【技術分野】
【０００１】
本発明は扉体開閉機構及びこれを備えた電子機器についての技術分野に関する。詳しくは、カムとバネ部材を用いて扉体に閉塞位置へ向けての移動力を付与することにより、デザイン性の向上及び動作の信頼性等を図る技術分野に関する。
【背景技術】
【０００２】
各種の電子機器、例えば、ディスク状記録媒体やテープカセット等の各種の記録メディアを扱うドライブ装置、パーソナルコンピューター等の情報処理装置、電話器やファクシミリ等に代表される通信用装置、ＰＤＡ（Personal Digital Assistant）等の情報端末装置等には、所定の各部が配置されて成る本体に対して開放位置と閉塞位置との間で開閉される扉体を備えたものがある。
【０００３】
このような扉体を備えた電子機器として、例えば、扉体の一端部が本体の前面パネルに回動可能に支持され、扉体を回動させることにより本体の前面パネルに形成された記録メディアの開口を開閉するようにしたディスクドライブ装置がある（例えば、特許文献１参照）。
【０００４】
【特許文献１】登録実用新案第２５１９４６７号公報
【発明の開示】
【発明が解決しようとする課題】
【０００５】
ところで、扉体は閉塞位置において、ガタツキを生じることなく保持される必要がある。
【０００６】
そこで、従来の電子機器にあっては、前面パネルと扉体の一方にマグネットを取り付け、他方にマグネットに吸着される磁性材料から成る金属片を取り付けたものがある。
【０００７】
ところが、前面パネルと扉体にマグネット又は金属片を取り付けた場合には、扉体が開放されたときに、マグネット及び金属片がユーザーの視野に入ってしまい、デザイン性の低下を来たすという問題がある。
【０００８】
また、マグネットを用いることにより、その磁力が本体に配置される各部や記録メディアに悪影響を及ぼしたり、経年変化による磁力の低下によって扉体を閉塞位置に保持する保持力が低下するおそれもある。
【０００９】
一方、従来の電子機器にあっては、扉体を閉塞位置にガタツキなく保持するために、前面パネルと扉体とにそれぞれ雄雌用のキャッチャーを取り付けたものがある。
【００１０】
ところが、前面パネルと扉体にキャッチャーを取り付けた場合には、上記と同様に、扉体が開放されたときに、キャッチャーがユーザーの視野に入ってしまい、デザイン性の低下を来たすという問題がある。
【００１１】
また、雄用のキャッチャーは、特に、前面パネル又は扉体から突出し易いため、例えば、ユーザーが誤ってキャッチャーに触れてしまい、キャッチャーが破損するおそれがある。
【００１２】
そこで、本発明扉体開閉機構及びこれを備えた電子機器は、上記した問題点を克服し、デザイン性の向上及び動作の信頼性等を図ることを課題とする。
【課題を解決するための手段】
【００１３】
本発明扉体開閉機構及びこれを備えた電子機器は、上記した課題を解決するために、一端部が扉体に連結され他端部が本体に回動自在に連結されると共に本体に対して回動され扉体を本体に対して移動させるアーム体と、該アーム体の回動動作に連動して移動されるカムと、該カムに摺動自在に係合する係合部を有すると共にカムに対する係合部の係合位置に応じて回動される作用レバーと、該作用レバーを係合部がカムに押し付けられる方向へ付勢するバネ部材とを設け、上記カムに、作用レバーの係合部を介して伝達されるバネ部材の付勢力によって、扉体に開放位置から閉塞位置へ向かう方向への移動力を付与する閉塞作用部を形成したものである。
【００１４】
従って、本発明扉体開閉機構及びこれを備えた電子機器にあっては、バネ部材によって作用レバーの係合部がカムの閉塞作用部に押し付けられることにより、扉体に閉塞位置へ向かう方向への移動力が付与される。
【発明の効果】
【００１５】
本発明扉体開閉機構は、本体に対して開放位置と閉塞位置との間で移動される扉体を開閉する扉体開閉機構であって、一端部が扉体に連結され他端部が本体に回動自在に連結されると共に本体に対して回動され扉体を本体に対して移動させるアーム体と、該アーム体の回動動作に連動して移動されるカムと、該カムに摺動自在に係合する係合部を有すると共にカムに対する係合部の係合位置に応じて回動される作用レバーと、該作用レバーを係合部がカムに押し付けられる方向へ付勢するバネ部材とを備え、上記カムに、作用レバーの係合部を介して伝達されるバネ部材の付勢力によって、扉体に開放位置から閉塞位置へ向かう方向への移動力を付与する閉塞作用部を形成したことを特徴とする。
【００１６】
従って、バネ部材の付勢力によって扉体が閉塞位置に保持されるため、扉体を閉塞位置に保持するためのマグネットやキャッチャー等を必要とせず、これらを設けたときのデザイン性の低下を来たすことがない。
【００１７】
また、本体に配置される各部等に対するマグネットの磁力による悪影響を心配する必要がなく、扉体から突出されるキャッチャーの破損という不具合を生じることもない。
【００１８】
請求項２に記載した発明にあっては、上記カムに、作用レバーの係合部を介して伝達されるバネ部材の付勢力によって、扉体に閉塞位置から開放位置へ向かう方向への移動力を付与する開放作用部を形成したので、扉体を確実に開放位置に移動させることができる。
【００１９】
また、閉塞作用部と開放作用部とが同一部分であるカムに形成されているため、扉体に閉塞位置及び開放位置の２方向への移動力を付与するための各別の機構を必要とせず、部品点数の削減を図ることができる。
【００２０】
請求項３に記載した発明にあっては、上記カムの閉塞作用部と開放作用部とを連続して形成したので、扉体の移動が途中で停止されることがなく、扉体の円滑な移動状態を確保することができる。
【００２１】
請求項４に記載した発明にあっては、上記アーム体に上記カムを一体に形成したので、部品点数の削減を図ることができる。
【００２２】
請求項５に記載した発明にあっては、上記作用レバーの係合部として回転可能な軸部材を用いたので、カムとの間の円滑な摺動動作が確保され、動作の信頼性の向上を図ることができる。
【００２３】
請求項６に記載した発明にあっては、上記作用レバーに、閉塞位置から開放位置へ向けて移動された扉体を開放位置に保持するストッパーを設けたので、別に専用のストッパーを設ける必要がなく、部品点数の削減を図ることができる。
【００２４】
本発明扉体開閉機構を備えた電子機器は、本体に対して開放位置と閉塞位置との間で移動される扉体を開閉する扉体開閉機構を備えた電子機器であって、一端部が扉体に連結され他端部が本体に回動自在に連結されると共に本体に対して回動され扉体を本体に対して移動させるアーム体と、該アーム体の回動動作に連動して移動されるカムと、該カムに摺動自在に係合する係合部を有すると共にカムに対する係合部の係合位置に応じて回動される作用レバーと、該作用レバーを係合部がカムに押し付けられる方向へ付勢するバネ部材とを備え、上記カムに、作用レバーの係合部を介して伝達されるバネ部材の付勢力によって、扉体に開放位置から閉塞位置へ向かう方向への移動力を付与する閉塞作用部を形成したことを特徴とする。
【００２５】
従って、バネ部材の付勢力によって扉体が閉塞位置に保持されるため、扉体を閉塞位置に保持するためのマグネットやキャッチャー等を必要とせず、これらを設けたときのデザイン性の低下を来たすことがない。
【００２６】
また、本体に配置される各部等に対するマグネットの磁力による悪影響を心配する必要がなく、扉体から突出されるキャッチャーの破損という不具合を生じることもない。
【００２７】
請求項８に記載した発明にあっては、上記カムに、作用レバーの係合部を介して伝達されるバネ部材の付勢力によって、扉体に閉塞位置から開放位置へ向かう方向への移動力を付与する開放作用部を形成したので、扉体を確実に開放位置に移動させることができる。
【００２８】
また、閉塞作用部と開放作用部とが同一部分であるカムに形成されているため、扉体に閉塞位置及び開放位置の２方向への移動力を付与するための各別の機構を必要とせず、部品点数の削減を図ることができる。
【００２９】
請求項９に記載した発明にあっては、上記カムの閉塞作用部と開放作用部とを連続して形成したので、扉体の移動が途中で停止されることがなく、扉体の円滑な移動状態を確保することができる。
【００３０】
請求項１０に記載した発明にあっては、上記アーム体に上記カムを一体に形成したので、部品点数の削減を図ることができる。
【００３１】
請求項１１に記載した発明にあっては、上記作用レバーの係合部として回転可能な軸部材を用いたので、カムとの間の円滑な摺動動作が確保され、動作の信頼性の向上を図ることができる。
【００３２】
請求項１２に記載した発明にあっては、上記作用レバーに、閉塞位置から開放位置へ向けて移動された扉体を開放位置に保持するストッパーを設けたので、別に専用のストッパーを設ける必要がなく、部品点数の削減を図ることができる。
【発明を実施するための最良の形態】
【００３３】
以下に、本発明扉体開閉機構及びこれを備えた電子機器の最良の形態を添付図面に従って説明する。尚、以下に示した最良の形態は、本発明電子機器をディスク状記録媒体に対して情報信号の記録若しくは再生又はこれらの双方を行うディスクドライブ装置に適用し、本発明扉体開閉機構をディスクドライブ装置に設けられた扉体開閉機構に適用したものである。
【００３４】
尚、本発明の適用範囲はディスクドライブ装置及びこれに設けられた扉体開閉機構に限られることはなく、本発明電子機器は、各種の電子機器、例えば、ディスク状記録媒体以外のテープカセット等の各種の記録メディアを扱うドライブ装置、パーソナルコンピューター等の情報処理装置、電話器やファクシミリ等に代表される通信用装置、ＰＤＡ（Personal Digital Assistant）等の情報端末装置、スチルカメラや電子カメラやビデオカメラ等の撮像装置等に広く適用することができ、本発明扉体開閉機構は、こられの各種の電子機器や電子機器以外の他の機器及び装置に設けられる扉体開閉機構に広く適用することができる。
【００３５】
電子機器（ディスクドライブ装置）１は、扉体２と本体３を備えている（図１及び図２参照）。
【００３６】
扉体２は、例えば、アルミニウム等の金属材料によって横長の矩形状に形成され、本体３に対して閉塞位置（図１参照）と開放位置（図２参照）との間で移動されて開閉される。扉体２の重量は、例えば、５００ｇである。
【００３７】
扉体２の裏面２ａ、即ち、閉塞位置において本体３の前面と対向する面には、左右両端部に凹部２ｂ、２ｂが形成されている（図３参照）。凹部２ｂ、２ｂにはそれぞれ２本ずつの左右方向に延びる支持軸部材４、４、・・・が配置され、該支持軸部材４、４、・・・は凹部２ｂ、２ｂに嵌め込まれた状態で扉体２に取り付けられた押さえ部材５、５によって押さえられ、扉体２からの脱落が防止されている。
【００３８】
本体２は筐体６に所要の各部が配置されて成る（図１及び図２参照）。筐体６は稍横長の箱状に形成され、左右方向における長さが扉体２のそれと同じにされている。筐体６の前面部は前面パネル７として設けられ、該前面パネル７は上側に位置された開閉面部７ａと該開閉面部７ａの下側に位置された露出面部７ｂとから成る。
【００３９】
開閉面部７ａは、扉体２が閉塞位置にあるときに対向する部分である。開閉面部７ａと露出面部７ｂの連続部分に形成された段差部８によって、開閉面部７ａの前面が露出面部７ｂの前面より稍後方に位置されている（図４参照）。従って、扉体２は、図４に示すように、閉塞位置にある状態において段差部８の真上に位置され、扉体２の表面２ｃと露出面部７ｂの前面とが略同一平面上に位置される。
【００４０】
扉体２の開閉面部７ａには各種の操作釦９、９、・・・が配置されている。操作釦９、９、・・・としては、例えば、電源のオン・オフを行うための電源釦、ディスク状記録媒体が載置されるディスクトレーを移動させるためのトレー動作用釦、ディスク状記録媒体に対する情報信号の記録や再生を行うための録音釦や再生釦、再生状態を一時停止するための一時停止釦、再生動作を停止するためのストップ釦、音量の変更を行うためのボリューム釦等が設けられている。
【００４１】
開閉面部７ｂの略中央部には横長の挿脱用開口１０が形成されている（図２参照）。挿脱用開口１０は、筐体６の内部からの図示しないディスクトレーの引出及び筐体６の内部へのディスクトレーの収納を行うための開口である。トレー動作用釦を操作して筐体６の内部からディスクトレーを引き出してディスク状記録媒体を載置し、再度、トレー用釦を操作してディスクトレーを筐体６の内部に収納すると、ディスク状記録媒体がディスクトレーから相対的に持ち上げられてディスクテーブルに装着され、ディスクテーブルの回転と光ピックアップの駆動によりディスク状記録媒体に対する情報信号の記録又は再生が行われる。
【００４２】
開閉面部７ｂの左右両端部にはそれぞれ縦長のアーム突出孔１１、１１が形成されている。
【００４３】
扉体２の露出面部７ｂには、その左右方向における中央部に、横長の表示パネル１２が配置されている（図１及び図２参照）。表示パネル１２は、例えば、液晶ディスプレイであり、電子機器１の動作状態等の各種の情報が表示される。表示パネル１２の長手方向における一端部にはリモコン受光部１３が設けられている。
【００４４】
電子機器１は扉体２を本体３に対して移動させるための扉体開閉機構１４、１５を備えている（図２参照）。扉体開閉機構１４は、例えば、筐体６の左端部に配置され、扉体開閉機構１５は、例えば、筐体６の右端部に配置されている。扉体開閉機構１４と扉体開閉機構１５については、扉体開閉機構１５が扉体開閉機構１４に対して一部の構成が省略されていることのみが相違するため、以下には、扉体開閉機構１４について詳細に説明し、扉体開閉機構１５については扉体開閉機構１４との相違のみについて簡単に説明する。
【００４５】
扉体開閉機構１４はブラケット１６を備え、該ブラケット１６に所要の各部が取り付けられ又は支持されて成る（図５及び図６参照）。
【００４６】
ブラケット１６は、横長の被取付部１７と該被取付部１７の左端に連続して設けられたアーム支持部１８とを有している。
【００４７】
被取付部１７は筐体６の前面パネル７の背面に、例えば、ネジ止めによって取り付けられる。
【００４８】
アーム支持部１８は、前面部１９と、該前面部１９の右側縁の下半部から後方へ突出された連設部２０と、前面部１９の左側縁から後方へ突出された支持突部２１と、前面部１９の右側縁の上端部から後方へ突出された軸支持部２２とから成る。アーム支持部１８は、連設部２０の後縁が被取付部１７の左側縁に連続されている。支持突部２１の上端部には前後に離隔して軸支持孔２１ａ、２１ｂが形成されている。軸支持部２２には、支持突部２１の軸支持孔２１ａ、２１ｂにそれぞれ対応する位置に、前後に離隔して軸支持孔２２ａ、２２ｂが形成されている。
【００４９】
アーム支持部１８の軸支持孔２１ａ、２２ａには支持軸２３が挿入されて支持される。
【００５０】
アーム支持部１８の軸支持孔２１ｂ、２２ｂには、横断面形状がＤ字状に形成されたＤカット支持軸２４が挿入されて支持される。Ｄカット支持軸２４がアーム支持部１８に支持された状態においては、一部がアーム支持部１８から右方へ大きく突出される。
【００５１】
アーム支持部１８にはアーム体２５が回動自在に支持され、該アーム体２５は第１の支持アーム２６と第２の支持アーム２７と第３の支持アーム２８と第４の支持アーム２９とによって構成されている（図５乃至図７参照）。
【００５２】
第１の支持アーム２６は、図７に示すように、基部２６ａと該基部２６ａに対して９０°折り曲げられて形成された側部２６ｂ、２６ｂとから成り、該側部２６ｂ、２６ｂの長手方向における一端部が扉体２に支持された上側に位置する支持軸部材４に回動自在に支持されている。
【００５３】
第２の支持アーム２７は、基部２７ａと該基部２７ａに対して９０°折り曲げられて形成された側部２７ｂ、２７ｂとから成り、該側部２７ｂ、２７ｂの長手方向における一端部が第１の支持アーム２６の側部２６ｂ、２６ｂの長手方向における他端部に回動支点軸３０を介して回動自在に支持され、第１の支持アーム２６と第２の支持アーム２７が互いに回動可能とされている。第２の支持アーム２７は、側部２７ｂ、２７ｂの長手方向における他端部が支持軸２３を介してブラケット１６のアーム支持部１８に回動自在に支持されている。
【００５４】
第３の支持アーム２８は、基部２８ａと該基部２８ａに対して９０°折り曲げられて形成された側部２８ｂ、２８ｂとから成り、該側部２８ｂ、２８ｂの長手方向における一端部が扉体２に支持された下側に位置する支持軸部材４に回動自在に支持されている。第３の支持アーム２８の基部２８ａには挿通孔２８ｃが形成され、該挿通孔２８ｃに第２の支持アーム２７が挿通される。第３の支持アーム２８の挿通孔２８ｃに第２の支持アーム２７が挿通された状態において、第３の支持アーム２８の側部２８ｂ、２８ｂと第２の支持アーム２７の側部２７ｂ、２７ｂとが回動支点軸３１を介して互いに回動自在に支持される。
【００５５】
第４の支持アーム２９は、基部２９ａと該基部２９ａに対して９０°折り曲げられて形成された側部２９ｂ、２９ｂとから成り、該側部２９ｂ、２９ｂの長手方向における一端部が第３の支持アーム２８の側部２８ｂ、２８ｂの長手方向における他端部に回動支点軸３２を介して回動自在に支持され、第４の支持アーム２９と第３の支持アーム２８が互いに回動可能とされている。第４の支持アーム２９は、側部２９ｂ、２９ｂの長手方向における他端部がＤカット支持軸２４を介してブラケット１６のアーム支持部１８に回動自在に支持され、Ｄカット支持軸２４に対しては回動不能とされている。第４の支持アーム２９の基部２９ａには、第２の支持アーム２７が回動されたときに該第２の支持アーム２９との干渉を防止するための逃げ孔２９ｃが形成されている。
【００５６】
第４の支持アーム２９には、側部２９ｂ、２９ｂの他端部に連続してそれぞれ突部３３、３３が設けられている（図７及び図８参照）。突部３３、３３は側部２９ｂ、２９ｂに対して互いに近付く方向へ９０°折り曲げられて形成されている。
【００５７】
第４の支持アーム２９には、突部３３、３３に連続してそれぞれカム３４、３４が設けられている。カム３４、３４は突部３３、３３に対して９０°折り曲げられて形成され、対向して位置されている。カム３４、３４の周縁の各一部は、それぞれ閉塞作用部３４ａ、３４ａ及び開放作用部３４ｂ、３４ｂとして形成されている。閉塞作用部３４ａ、３４ａと開放作用部３４ｂ、３４ｂとは連続されており、閉塞作用部３４ａ、３４ａは開放作用部３４ｂ、３４ｂより短く形成されている。
【００５８】
Ｄカット支持軸２４には付勢バネ３５が支持されている。付勢バネ３５は、例えば、捩じりコイルバネであり、コイル部３５ａと腕部３５ｂ、３５ｃとから成る。付勢バネ３５は、図８に示すように、コイル部３５ａがＤカット支持軸２４に外嵌状に配置され、一方の腕部３５ｂが支持軸２３に弾接され、他方の腕部３５ｃが第４の支持アーム２９の突部３３に弾接されている。従って、付勢バネ３５によってアーム体２５に、図８に示すＦ方向、即ち、扉体２を開放位置から閉塞位置へ移動させる方向への付勢力が付与される。
【００５９】
ブラケット１６にはギヤユニット３６が取り付けられている（図５及び図６参照）。ギヤユニット３６はギヤケース３７に所要の各ギヤが支持されて成る（図９参照）。
【００６０】
ギヤケース３７は第１の部材３８と第２の部材３９とが左右で結合されて成り、左方側に位置する第１の部材３８の前端寄りの位置には、左方へ突出されたバネ支持突部４０が設けられ、該バネ支持突部４０には螺孔４０ａが形成されている。第１の部材３８には、その後端寄りの位置に、左方へ突出された支軸４１が設けられている。
【００６１】
第２の部材３９の内面にはダンパー４２が取り付けられている。ダンパー４２は、例えば、オイルダンパーである。ダンパー４２はオイルが封入されたタンク部４２ａと該タンク部４２ａに回転自在に支持されたギヤ部４２ｂとから成り、該ギヤ部４２ｂが回転されたときにタンク部４２ａに封入されたオイルによって回転に対する制動力が付与される。
【００６２】
ダンパー４２のギヤ部４２ｂにはワンウェイクラッチ４３が噛合され、該ワンウェイクラッチ４３は第１のギヤ４４と第２のギヤ４５とが連結されて成り、第１の部材３８と第２の部材３９との間で支持される。ワンウェイクラッチ４３は第２のギヤ４５がダンパー４２のギヤ部４２ｂに噛合されている。
【００６３】
第１のギヤ４４の中心部には略小判状に形成された軸挿入孔４４ａが形成されている（図１０参照）。
【００６４】
第２のギヤ４５の中心部には軸挿入孔４６が形成されている（図１０及び図１２参照）。軸挿入孔４６は円形状に形成された中心部４６ａと該中心部４６ａの周囲に周方向に等間隔に形成されたピン配置部４６ｂ、４６ｂ、４６ｂとから成る。ピン配置部４６ｂ、４６ｂ、４６ｂは中心部４６ａの外側に形成され、周方向における一方向（図１１に示すＲ１方向）へ行くに従って外側へ変位する曲面部４６ｃ、４６ｃ、４６ｃと該曲面部４６ｃ、４６ｃ、４６ｃに連続され略放射方向へ延びる平面部４６ｄ、４６ｄ、４６ｄとによって囲まれている。
【００６５】
第１のギヤ４４の軸挿入孔４４ａと第２のギヤ４５の軸挿入孔４６の中心部４６ａには連結支持軸４７が挿入される（図１０参照）。連結支持軸４７は横断面形状が略小判状に形成されたカット面部４７ａと横断面形状が円形状に形成された丸軸部４７ｂとから成り、カット面部４７ａが第１のギヤ４４の軸挿入孔４４ａに挿入され、丸軸部４７ｂが第２のギヤ４５の軸挿入孔４６の中心部４６ａに挿入される。従って、第１のギヤ４４は連結支持軸４７に対して回転不能とされ、第２のギヤ４５は連結支持軸４７に対して回転可能とされる。
【００６６】
第２のギヤ４５の軸挿入孔４６のピン配置部４６ｂ、４６ｂ、４６ｂには、それぞれ丸軸状の作用ピン４８、４８、４８が配置されている。
【００６７】
ワンウェイクラッチ４３において、第１のギヤ４４が図１１に示すＲ２方向へ回転されると、作用ピン４８、４８、４８が連結支持軸４７の回転に伴ってＲ２方向へ移動される。作用ピン４８、４８、４８はそれぞれ曲面部４６ｃ、４６ｃ、４６ｃに接し、連結支持軸４７の丸軸部４７ｂと曲面部４６ｃ、４６ｃ、４６ｃに挟持された状態となる（図１１参照）。従って、第１のギヤ４４の回転力が連結支持軸４７から作用ピン４８、４８、４８を介して第２のギヤ４５に伝達され、第１のギヤ４４は第２のギヤ４５と一体となって回転される。
【００６８】
一方、ワンウェイクラッチ４３において、第１のギヤ４４が図１２に示すＲ１方向へ回転されると、作用ピン４８、４８、４８が連結支持軸４７の回転に伴ってＲ１方向へ移動される。作用ピン４８、４８、４８はそれぞれ平面部４６ｄ、４６ｄ、４６ｄに接し、該平面部４６ｄ、４６ｄ、４６ｄに沿って連結支持軸４７の丸軸部４７ｂから逃げる方向、即ち、放射方向へ移動しようとする（図１１参照）。従って、第１のギヤ４４の回転力が連結支持軸４７から第２のギヤ４５に伝達されず、第１のギヤ４４は単独で回転され第２のギヤ４５は回転されない。
【００６９】
ワンウェイクラッチ４３は第２のギヤ４５が第１のギヤ４４より径が大きくされており、扉体２が閉塞位置から開放位置へ向けて移動されるときには、減速ギヤとしても機能する。
【００７０】
第１の部材３８には中間ギヤ４９が支持され、該中間ギヤ４９は第１のギヤ４４に噛合されている（図９参照）。中間ギヤ４９は第１の部材３８に支持された減速ギヤ５０の大径部５０ａに噛合され、減速ギヤ５０の小径部５０ｂは連結ギヤ５１に噛合されている。
【００７１】
連結ギヤ５１は第１の部材３８と第２の部材３９との間で支持され、連結ギヤ５１の中心部には横断面形状がＤ字状に形成された軸挿通孔５１ａが形成されている。連結ギヤ５１の軸挿通孔５１ａには、アーム支持部１８から右方へ突出されたＤカット支持軸２４が挿入される。連結ギヤ５１の軸挿通孔５１ａは横断面形状がＤ字状に形成されているため、Ｄカット支持軸２４に対して回転不能とされ、第４の支持アーム２９の回転に伴って回転されるＤカット支持軸２４と一体となって回転される。
【００７２】
連結ギヤ５１が回転されると、減速ギヤ５０、中間ギヤ４９及びワンウェイクラッチ４３の第１のギヤ４４が回転される。このとき扉体２が閉塞位置から開放位置へ向けて移動される場合には、第１のギヤ４４の回転方向が図１１及び図１２に示すＲ２方向となるため、ワンウェイクラッチ４３の第１のギヤ４４と第２のギヤ４５との伝達経路が連結され、第２のギヤ４５とダンパー４２のギヤ部４２ｂとが回転される。従って、扉体２の閉塞位置から開放位置へ向けての移動時には、ダンパー４２による扉体２の移動に対しての制動力が付与され、扉体２が緩徐な速度で移動される。
【００７３】
逆に、連結ギヤ５１の回転に伴って第１のギヤ４４が回転されたときに、扉体２が開放位置から閉塞位置へ向けて移動される場合には、第１のギヤ４４の回転方向が図１１及び図１２に示すＲ１方向となるため、ワンウェイクラッチ４３の第１のギヤ４４と第２のギヤ４５との伝達経路が切り離され、第２のギヤ４５が回転されない。従って、扉体２の閉塞位置から開放位置へ向けての移動時には、ダンパー４２による扉体２の移動に対して制動力が付与されない。
【００７４】
ギヤケース３７の支軸４１には作用レバー５２が回動自在に支持されている（図５及び図６参照）。
【００７５】
作用レバー５２は、図５に示すように、対向して位置する２つの側面部５３、５３と該側面部５３、５３の上縁間を連結する２つの連結部５４、５５とが一体に形成されて成る。
【００７６】
側面部５３、５３の下端部における後端部には、それぞれ支持孔５３ａ、５３ａが形成されている。作用レバー５２は支持孔５３ａ、５３ａに支軸４１が挿入されてギヤケース３７に回動自在に支持される。側面部５３、５３の前端部間には軸部材５６が回転自在に支持されている。軸部材５６は第４の支持アーム２９に設けられたカム３４に摺動自在に係合される係合部としての役割を果たす。
【００７７】
右側に位置する側面部５３には右方へ突出された突片５７が設けられ、該突片５７には前後に長いネジ挿通孔５７ａが形成されている。
【００７８】
突片５７のネジ挿通孔５７ａには、ネジ部材５８が下方から挿通され、該ネジ部材５８が下方からギヤケース３７の螺孔４０ａに螺合される。ネジ部材５８には圧縮コイルバネであるバネ部材５９が支持され、該バネ部材５９はネジ部材５８の頭部５８ａと突片５７の下面との間で縮設される。従って、作用レバー５２には、バネ部材５９によって、常に、軸部材５６が略上方へ移動する方向へ付勢されている。作用レバー５２の上方側への移動は突片５７がギヤケース３７のバネ支持突部４０に下方から接することにより規制される。
【００７９】
右側に位置する扉体開閉機構１５は扉体開閉機構１４に対して各部が左右対称の位置関係にあり、ブラケット１６とアーム体２５を備えているが、ギヤユニット３６と作用レバー５２は備えていない。従って、扉体開閉機構１５は扉体２を開閉動作させるために最低限必要な部分のみが構成要素とされ、部品点数の削減が図られている。
【００８０】
以下に、扉体開閉機構１４の動作について説明する（図１３乃至図２３参照）。尚、扉体開閉機構１５の動作については、扉体開閉機構１４と同じ構成部品について扉体開閉機構１４の動作と同じであるため、説明は省略する。
【００８１】
先ず、扉体２が閉塞位置にあるときの各部の状態について説明する（図１３及び図１４参照）。
【００８２】
アーム体２５は、第１の支持アーム２６と第２の支持アーム２７とが折り畳まれ、第３の支持アーム２８と第４の支持アーム２９とが折り畳まれた状態とされており、筐体６の内部に位置されている（図１３参照）。このように閉塞位置において折り畳まれた状態でアーム体２５が配置されるため、アーム体２５の配置スペースが小さくて済み、その分、電子機器１の小型化を図ることができる。
【００８３】
作用レバー５２の軸部材５６は第４の支持アーム２９に設けられたカム３４の閉塞作用部３４ａにおける開放作用部３４ｂと反対側の端部に係合されている（図１４参照）。作用レバー５２は、上記したように、バネ部材５９によって、常に、軸部材５６が略上方へ移動する方向へ付勢されているため、第４の支持アーム２９に扉体２を閉塞位置へ移動させる向き（図１４に示すＳ１方向）の回動力が付与されている。従って、扉体２は閉塞位置において前面パネル７の開閉面部７ａに押し付けられた状態とされている（図１３参照）。
【００８４】
尚、扉体２は閉塞位置において開閉面部７ａにバネ部材５９の付勢力によって押し付けられるため、扉体２の裏面２ａに厚みの薄い衝撃緩衝材を設け、扉体２と開閉面部７ａとの接触時の衝撃の吸収や防音を図るようにしてもよい。
【００８５】
扉体２が閉塞位置から開放位置へ向けて移動されていくと、アーム体２５は、第１の支持アーム２６が回動支点軸３０を支点として回動され、第２の支持アーム２７が支持軸２３を支点として回動され、第３の支持アーム２８が回動支点軸３１及び回動支点軸３２を支点として回動され、第４の支持アーム２９がＤカット支持軸２４と一体となって回動される（図１５参照）。
【００８６】
扉体２が閉塞位置から開放位置へ向けて移動した初期の状態においては、扉体２はバネ部材５９及びＤカット支持軸２４に支持された付勢バネ３５のバネ力に抗して開放位置へ向けて移動される。このとき、アーム体２５が４つのアームと７つの回動支点によって構成されているため、扉体２は略前方へ移動される（図１５参照）。従って、扉体２の下端部が前面パネル７の段差部８と接触せず、扉体２の円滑な移動が行われる。
【００８７】
また、扉体２の下端部と段差部８との接触を回避するために、扉体２の下端部と段差部８との間の間隙を大きくする必要がなく、間隙からの塵埃の侵入の確率を低下させることができる。
【００８８】
さらに、扉体２の下端部と段差部８との間の間隙を小さくすることができるため、見栄えが良好であり、デザイン性の向上を図ることができる。
【００８９】
作用レバー５２は第４の支持アーム２９が回動されることにより、軸部材５６がカム３４の閉塞作用部３４ａと摺動されて開放作用部３４ｂへ向けて移動され、支軸４１を支点として、図１４に示すＱ２方向へ回動されていく。
【００９０】
扉体２が閉塞位置から開放位置へ向けて移動されるときには、上記したように、ワンウェイクラッチ４３の第１のギヤ４４と第２のギヤ４５との伝達経路が連結され、第２のギヤ４５とダンパー４２のギヤ部４２ｂとが回転される。従って、扉体２にダンパー４２による制動力が付与され、扉体２が緩徐な速度で移動される。
【００９１】
引き続き扉体２が開放位置へ向けて移動されていくと、これ以後、扉体２は徐々に手前側に傾斜するように回動されていく（図１６参照）。
【００９２】
作用レバー５２は、軸部材５６がカム３４の閉塞作用部３４ａと開放作用部３４ｂとの連続点に達する（図１７参照）。
【００９３】
さらに扉体２が開放位置へ向けて移動されていくと、作用レバー５２は軸部材５６がカム３４の開放作用部３４ｂと摺動される（図１８参照）。作用レバー５２はバネ部材５９によって、常に、軸部材５６が略上方へ移動する方向へ付勢されているため、作用レバー５２を介して第４の支持アーム２９に扉体２を開放位置へ移動させる向き（図１８に示すＳ２方向）の回動力が付与される。また、扉体２は、その自重により閉塞位置から開放位置へ向けての移動力が付与されており、付勢バネ３５のバネ力に抗しダンパー４２の制動力を受けながら開放位置へ向けて移動されていく（図１９参照）。
【００９４】
引き続いて扉体２が開放位置へ向けて移動されていくと、作用レバー５２の軸部材５６がカム３４の閉塞作用部３４ａから離隔され（図２０参照）、バネ部材５９の作用レバー５２を介しての第４の支持アーム２９に対するバネ力が付与されない状態となる。従って、扉体２は、その自重のみにより、付勢バネ３５のバネ力に抗しダンパー４２の制動力を受けながら開放位置へ向けて移動されていく。このとき作用レバー５２はバネ部材５９によって突片５７がギヤケース３７のバネ支持突部４０に下方から接して回動を規制されている（図２０参照）。
【００９５】
さらに扉体２が開放位置へ向けて移動されていくと、扉体２はカム３４が作用レバー５２のストッパー５４ａに接して移動を規制され、開放位置において保持される（図２１参照）。
【００９６】
開放位置まで移動された状態において、扉体２は前面パネル７に設けられた表示パネル１２の下方に略水平な状態で位置される（図２２参照）。従って、前方側から表示パネル１２の全面を視認することができ、リモコン受光部１３が扉体２によって閉塞されない状態にある。
【００９７】
一方、扉体２が開放位置から閉塞位置へ向けて移動されるときには、扉体２が閉塞位置から開放位置へ向けて移動されるときの上記した動作と逆の動作が行われる。即ち、アーム体２５は第１の支持アーム２６と第２の支持アーム２７とが徐々に折り畳まれると共に第３の支持アーム２８と第４の支持アーム２９とが徐々に折り畳まれていき、作用レバー５２は軸部材５６がカム３４の開放作用部３４ｂから閉塞作用部３４ａへと摺動され、閉塞位置に至る。
【００９８】
扉体２が開放位置から閉塞位置へ向けて移動されるときには、上記したように、ワンウェイクラッチ４３の第１のギヤ４４と第２のギヤ４５との伝達経路が切り離され、第２のギヤ４５が回転されず、扉体２に対してダンパー４２による制動力が付与されない。このとき、作用レバー５２の軸部材５６がカム３４の開放作用部３４ｂと摺接している状態においては、バネ部材５９によって扉体２に閉塞位置から開放位置へ移動される方向への付勢力が付与されるが、Ｄカット支持軸２４に支持された付勢バネ３５によって開放位置から閉塞位置へ移動される方向への付勢力が付与される。従って、扉体２に対するバネ部材５９による付勢力が相対的に減殺され、扉体２を小さな力で閉塞位置へ向けて移動させることができる。
【００９９】
また、扉体２が開放位置から閉塞位置へ向けて移動されるときに、作用レバー５２の軸部材５６がカム３４の閉塞作用部３４ａと摺接している状態においては、バネ部材５９及び付勢バネ３５によって開放位置から閉塞位置へ移動される方向への付勢力が付与される。従って、扉体２を確実に閉塞位置まで移動させることができる。
【０１００】
上記したように、扉体２は閉塞位置と開放位置との間で移動され、この移動状態を図２３に概念的に示す。図２３に示すように、閉塞位置に近い位置における扉体２の移動（Ｍ１乃至Ｍ４）では、扉体２が略前後へ移動され、扉体２の下端部が前面パネル７の段差部８と接触せず、扉体２の円滑な移動が行われる。
【０１０１】
図２４は、扉体２の開き角度と扉体２から受ける負荷との関係を、付勢バネ３５を設けた場合と設けない場合について示したグラフ図である。扉体２の自重は５００ｇであり、図において横軸は扉体２の開き角度を示し、閉塞位置において０°、開放位置において９０°である。縦軸は扉体２から受ける負荷を示し、扉体２の上端部で左右方向における中央部に、扉体２に対して垂直にプッシュプルゲージを当てて測定した値である。
【０１０２】
尚、図２４に示したデーターには、バネ部材５９の付勢力は含まれていない。
【０１０３】
図に示すように、付勢バネ３５を設けた場合には、付勢バネ３５を設けない場合に比し、扉体２から受ける負荷が大幅に軽減されることが解る。従って、上記したように、扉体２を小さな力で閉塞位置へ向けて移動させることができる。
【０１０４】
尚、開き角度０°及びその付近の角度において、扉体２に対する負荷がマイナスとされているが、これは扉体２が閉塞位置から開放位置へ向けて移動が開始されたとき、即ち、０°から１０°程度の開き角度においては、重心が持ち上がるように扉体２が移動され、この開き角度においては自重により開放位置から付勢位置へ向けての荷重がかかるためである。また、開き角度８０°から９０°に至るときに扉体２に対する負荷が減少しているが、これは開き角度が７０°から８０°の間において重心が垂直方向となるように扉体２が移動され、その後開放位置へ向けて移動されている状態においては、扉体２が本体３に近付くように移動される軌跡となっているためである。
【０１０５】
上記には、アーム体２５の例として、第１の支持アーム２６と第２の支持アーム２７を互いに回動自在に連結すると共に第３の支持アーム２８と第４の支持アーム２９を互いに回動自在に連結し、第２の支持アーム２７の中間部と第３の支持アーム２８の中間部とを回動自在に連結したものを示したが、アーム体としてはこのような例に限られることはなく、第１の支持アーム２６と第２の支持アーム２７を互いに回動自在に連結すると共に第３の支持アーム２８と第４の支持アーム２９を互いに回動自在に連結したものであれば、第１の支持アーム２６の中間部と第４の支持アーム２９の中間部とを回動自在に連結、第１の支持アーム２６の中間部と第３の支持アーム２８の中間部とを回動自在に連結又は第２の支持アーム２７の中間部と第４の支持アーム２９の中間部とを回動自在に連結してもよい。
【０１０６】
尚、上記のように、第２の支持アーム２７の中間部と第３の支持アーム２８の中間部とを回動自在に連結したアーム体２５を用いることにより、扉体開閉機構１４、１５の設計の容易化及び小型化を図ることが可能である。
【０１０７】
また、上記には、付勢バネ３５として捩りコイルバネを用いた例を示したが、付勢バネ３５は捩りコイルバネに限られることはなく、扉体２を開放位置から閉塞位置へ向けて付勢するバネであれば他の種類のバネ、例えば、コイルバネであってもよい。
【０１０８】
さらに、付勢バネ３５の配置位置は、ワンウェイクラッチ４３から扉体２までの伝達経路上であれば、何れの位置に配置してもよい。
【０１０９】
以上に記載した通り、電子機器１にあっては、ワンウェイクラッチ４３に加え扉体２を開放位置から閉塞位置へ付勢する付勢バネ３５を設けているため、上記のように、小さな力で扉体２を開放位置から閉塞位置へ向けて移動させることができる。
【０１１０】
また、扉体２が開放位置から閉塞位置へ向けて移動されるときに、扉体２の移動に対してワンウェイクラッチ４３による制動力に加えて付勢バネ３５による閉塞位置へ向けての付勢力が付与されるため、その分、ワンウェイクラッチ４３による制動力を小さくすることができ、ギヤケース３７に支持される減速ギヤ比が小さくて済み、ギヤの数を減らすことができると共にギヤの大きさを小さくすることができる。
【０１１１】
従って、ギヤのスペースを小さくすることが可能であると共に部品点数の削減を図ることが可能であり、電子機器１の小型化を図ることができる。
【０１１２】
さらに、付勢バネ３５として捩じりコイルバネを用いＤカット支持軸２４に支持することにより、付勢バネ３５の配置スペースの有効活用を図ることができ、電子機器１の小型化を図ることができる。
【０１１３】
電子機器１にあっては、作用レバー５２をバネ部材５９によって所定の方向へ付勢し、カム３４に閉塞作用部３４ａを形成して扉体２を開放位置から閉塞位置へ向かう方向へ付勢しているため、扉体２がガタ付くことなく閉塞位置に保持される。
【０１１４】
従って、扉体２を閉塞位置に保持するためのマグネットやキャッチャー等を前面パネル７又は扉体２に取り付ける必要がなく、これらを取り付けたときのデザイン性の低下を来たすことがない。
【０１１５】
また、本体３に配置される各部や記録メディアに対するマグネットの磁力による悪影響を心配する必要がなく、扉体２又は前面パネル７から突出されるキャッチャーの破損という不具合を生じることもない。
【０１１６】
さらに、カム３４には、扉体２に閉塞位置から開放位置へ向かう方向への移動力を付与する開放作用部３４ｂを形成しているため、扉体２を確実に開放位置に移動させることができる。
【０１１７】
また、閉塞作用部３４ａと開放作用部３４ｂとが同一部分であるカム３４に形成されているため、扉体２に閉塞位置及び開放位置の２方向への移動力を付与するための各別の機構を必要とせず、部品点数の削減を図ることができる。
【０１１８】
さらにまた、カム３４に閉塞作用部３４ａと開放作用部３４ｂとを連続して形成しているため、扉体２の移動が途中で停止されることがなく、扉体２の円滑な移動状態を確保することができる。
【０１１９】
また、第４の支持アーム２９にカム３４を一体に形成しているため、部品点数の削減を図ることができる。
【０１２０】
さらに、カム３４に摺動自在に係合される係合部として回転可能な軸部材５６を用いているため、カム３４との間の円滑な摺動動作が確保され、動作の信頼性の向上を図ることができる。
【０１２１】
加えて、作用レバー５２に扉体２を開放位置に保持するストッパー５４ａを設けているため、別に専用のストッパーを設ける必要がなく、部品点数の削減を図ることができる。
【０１２２】
尚、上記には、扉体の例として挿脱用開口１０を開閉する扉体２を示したが、本発明における扉体は開口を閉塞する扉体に限られることはなく、開閉動作が行われるものであればよく、例えば、種々の物や部分を保護するようなカバーであってもよい。
【０１２３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１２４】
【図１】図２乃至図２４と共に本発明の最良の形態を示すものであり、本図は、扉体が閉塞位置にある状態を示す電子機器の斜視図である。
【図２】扉体が開放位置にある状態を示す電子機器の斜視図である。
【図３】扉体の拡大背面図である。
【図４】扉体が閉塞位置にある状態を示す断面図である。
【図５】扉体開閉機構の分解斜視図である。
【図６】扉体開閉機構の斜視図である。
【図７】アーム体の拡大分解斜視図である。
【図８】アーム体とギヤユニットとの関係を示す拡大斜視図である。
【図９】ギヤユニットの拡大分解斜視図である。
【図１０】ワンウェイクラッチの拡大分解斜視図である。
【図１１】扉体が閉塞位置から開放位置へ向けて移動されるときのワンウェイクラッチの動作状態を示す拡大断面図である。
【図１２】扉体が開放位置から閉塞位置へ向けて移動されるときのワンウェイクラッチの動作状態を示す拡大断面図である。
【図１３】図１４乃至図２３と共に扉体開閉機構の動作を示すものであり、本図は扉体が閉塞位置にあるときの状態を一部を断面にして筐体とともに示す側面図である。
【図１４】扉体が閉塞位置にあるときの状態を示す側面図である。
【図１５】扉体が閉塞位置から開放位置へ向けて移動された直後の状態を一部を断面にして筐体とともに示す側面図である。
【図１６】図１５に引き続き、扉体が閉塞位置から開放位置へ向けて移動された状態を一部を断面にして筐体とともに示す側面図である。
【図１７】軸部材がカムの閉塞作用部と開放作用部との連続点に係合されている状態を示す側面図である。
【図１８】軸部材がカムの開放作用部に係合されている状態を示す側面図である。
【図１９】図１６に引き続き、扉体が閉塞位置から開放位置へ向けて移動された状態を一部を断面にして筐体とともに示す側面図である。
【図２０】軸部材がカムから離隔された状態を示す側面図である。
【図２１】扉体が開放位置に移動された状態を示す側面図である。
【図２２】扉体が開放位置に移動された状態を一部を断面にして筐体とともに示す側面図である。
【図２３】扉体の閉塞位置と開放位置との間の移動状態を示す概念図である。
【図２４】扉体の開き角度と扉体から受ける負荷との関係を、付勢バネを設けた場合と設けない場合について示したグラフ図である。
【符号の説明】
【０１２５】
１…電子機器、２…扉体、３…本体、１４…扉体開閉機構、１５…扉体開閉機構、２５…アーム体、３４…カム、３４ａ…閉塞作用部、３４ｂ…開放作用部、５２…作用レバー、５４ａ…ストッパー、５６…軸部材（係合部）、５９…バネ部材
【図１】
2005194840.tif 000003
【図２】
2005194840.tif 000004
【図３】
2005194840.tif 000005
【図４】
2005194840.tif 000006
【図５】
2005194840.tif 000007
【図６】
2005194840.tif 000008
【図７】
2005194840.tif 000009
【図８】
2005194840.tif 000010
【図９】
2005194840.tif 000011
【図１０】
2005194840.tif 000012
【図１１】
2005194840.tif 000013
【図１２】
2005194840.tif 000014
【図１３】
2005194840.tif 000015
【図１４】
2005194840.tif 000016
【図１５】
2005194840.tif 000017
【図１６】
2005194840.tif 000018
【図１７】
2005194840.tif 000019
【図１８】
2005194840.tif 000020
【図１９】
2005194840.tif 000021
【図２０】
2005194840.tif 000022
【図２１】
2005194840.tif 000023
【図２２】
2005194840.tif 000024
【図２３】
2005194840.tif 000025
【図２４】
2005194840.tif 000026